(57)【要約】【課題】ファインダー内における測距エリア表示が見やすい表示装置を提供する。【解決手段】本発明の表示装置（１）は、複数の測距エリアのうちの選択された測距エリアに合焦可能なカメラ（１００）におけるファインダー（５７）の視野（５７ａ）内に、選択された測距エリアの位置を示す選択測距エリア表示（２００ａ）を所定輝度で被写体像に重ねて表示する測距エリア表示手段（７２，７４，１１１）と、視野（５７ａ）内における、選択測距エリア表示（２００ａ）が含まれる第１領域の被写体像の輝度、及び第１領域以外の他領域の被写体像の輝度を測光する測光手段（１１２）と、第１領域の被写体像の輝度及び他領域の被写体像の輝度より選択測距エリア表示（２００ａ）の表示輝度を決定する輝度制御手段（７４，１１１）と、を備える。【選択図】図１
2009037031.tif 000002
【特許請求の範囲】
【請求項１】
ファインダーの視野内に、複数の測距エリアのうちの合焦のために選択された測距エリアの位置を示す選択測距エリア表示を、所定輝度で被写体像に重ねて表示する測距エリア表示手段と、
前記視野内における前記選択測距エリア表示が含まれる第１領域の被写体像の輝度、及び前記第１領域以外の他領域の被写体像の輝度を測光する測光手段と、
前記第１領域の被写体像の輝度及び前記他領域の被写体像の輝度に基づき、前記選択測距エリア表示の表示輝度を制御する輝度制御手段と、
を備える表示装置。
【請求項２】
請求項１に記載の表示装置であって、
前記他領域は、前記第１領域に隣接する領域であることを特徴とする表示装置。
【請求項３】
請求項２に記載の表示装置であって、
前記第１領域と前記他領域とは、互いに重なる部分を有することを特徴とする表示装置。
【請求項４】
請求項１〜３のいずれか１項に記載の表示装置であって、
前記輝度制御手段は、前記第１領域の被写体像の輝度に相当する基準値に対して、前記他領域の被写体像の輝度に相当する比較値と該基準値との差に基づいた補正を行い、補正後の値に基づいて前記選択測距エリア表示の表示輝度を制御することを特徴とする表示装置。
【請求項５】
請求項４に記載の表示装置であって、
前記輝度制御手段は、
前記比較値から前記基準値を引いた値の最大値が第１閾値より大きく、
前記比較値から前記基準値を引いた値の最小値が、前記第１閾値より小さい第２閾値より大きい場合に、
前記基準値に正の補正値を加え、補正後の値に基づいて前記選択測距エリア表示の表示輝度を制御することを特徴とする表示装置。
【請求項６】
請求項４又は５に記載の表示装置であって、
前記輝度制御手段は、
前記比較値から前記基準値を引いた値の最大値が第１閾値より小さく、
前記比較値から前記基準値を引いた値の最小値が、前記第１閾値より小さい第２閾値より小さい場合に、
前記基準値に負の補正値を加え、補正後の値に基づいて前記選択測距エリア表示の表示輝度を制御することを特徴とする表示装置。
【請求項７】
請求項５又は６に記載の表示装置であって、
前記補正値は、前記比較値から前記基準値を引いた値の絶対値が大きくなると増加することを特徴とする表示装置。
【請求項８】
請求項７に記載の表示装置であって、
前記補正値の絶対値には上限値が設けられていることを特徴とする表示装置。
【請求項９】
請求項８に記載の表示装置であって、
前記測距エリア表示手段が、複数の測距エリア表示のうちから、前記選択測距エリア表示の部分に光を透過させることにより前記選択測距エリア表示を前記ファインダーの視野内に表示するシャッター機能を有し、
前記上限値のうちの正の上限値が、前記光の漏洩光により前記複数の測距エリア表示における前記選択測距エリア表示以外の測距エリア表示が、前記視野内に表示されることを軽減するように定められていることを特徴とする表示装置。
【請求項１０】
請求項１〜９のいずれか１項に記載の表示装置を備えるカメラ。
【発明の詳細な説明】
【技術分野】
【０００１】
本発明は、表示装置及びそれを備えたカメラに関する。
【背景技術】
【０００２】
従来、複数の測距エリアのうちの選択された測距エリアに合焦可能なカメラがある。そのようなカメラにおいては、ファインダー視野内に、選択された測距エリアの位置を示す測距エリア表示を被写体像に重ねて表示するスーパーインポーズ方式が提案されている（例えば、特許文献１参照）。このスーパーインポーズ方式では、測距エリア表示と重なる被写体像の明るさの影響で、測距エリア表示が見えなくなることを防止するために、ファインダー視野内の領域を複数に分割し、選択された測距エリア表示を含む領域内の被写体輝度を検出し、その被写体輝度に応じて測距エリア表示の表示輝度を制御している。
【特許文献１】特開平３−６５９３９号公報
【発明の開示】
【発明が解決しようとする課題】
【０００３】
しかし、選択された測距エリア表示を含む領域以外の他領域に、例えば黒色の低反射率の物体が存在したり、高輝度物体が存在したりする場合、撮影者は、それらの物体の影響により測距エリア表示が見にくいと感じることがある。
【０００４】
本発明の課題は、ファインダー内における測距エリア表示を見やすくすることである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、ファインダー（５７）の視野（５７ａ）内に、複数の測距エリアのうちの合焦のために選択された測距エリアの位置を示す選択測距エリア表示（２００ａ）を所定輝度で被写体像に重ねて表示する測距エリア表示手段（７２，１１１）と、前記視野（５７ａ）内における、前記選択測距エリア表示（２００ａ）が含まれる第１領域の被写体像の輝度、及び前記第１領域以外の他領域の被写体像の輝度を測光する測光手段（１１２）と、前記第１領域の被写体像の輝度及び前記他領域の被写体像の輝度に基づき前記選択測距エリア表示（２００ａ）の表示輝度を制御する輝度制御手段（７４，１１１）と、を備える表示装置（１）である。
請求項２に記載の発明は、請求項１に記載の表示装置（１）であって、前記他領域は、前記第１領域に隣接する領域であることを特徴とする表示装置（１）である。
請求項３に記載の発明は、請求項２に記載の表示装置（１）であって、前記第１領域と前記他領域とは、互いに重なる部分を有することを特徴とする表示装置（１）である。
請求項４に記載の発明は、請求項１〜３のいずれか１項に記載の表示装置（１）であって、前記輝度制御手段（７４，１１１）は、前記第１領域の被写体像の輝度に相当する基準値（ＥＶ０）に対して、前記他領域の被写体像の輝度に相当する比較値（ＥＶｎ）と該基準値（ＥＶ０）との差（ΔＥＶ）に基づいた補正を行い、補正後の値（ＥＶｃｏｒ）に基づいて前記選択測距エリア表示（２００ａ）の表示輝度を制御することを特徴とする表示装置（１）である。
請求項５に記載の発明は、請求項１〜４のいずれか１項に記載の表示装置（１）であって、前記輝度制御手段（７４，１１１）は、前記比較値（ＥＶｎ）から前記基準値（ＥＶ０）を引いた値の最大値（ΔＥＶｍａｘ）が第１閾値（ＥＶｔｈ１）より大きく、前記比較値（ＥＶｎ）から前記基準値（ＥＶ０）を引いた値の最小値（ΔＥＶｍｉｎ）が、前記第１閾値（ＥＶｔｈ１）より小さい第２閾値（ＥＶｔｈ２）より大きい場合に、前記基準値（ＥＶ０）に正の補正値（ＥＶａｄｊ）を加え、補正後の値（ＥＶｃｏｒ）に基づいて前記選択測距エリア表示（２００ａ）の表示輝度を制御することを特徴とする表示装置（１）である。
請求項６に記載の発明は、請求項１〜５のいずれか１項に記載の表示装置（１）であって、前記輝度制御手段（７４，１１１）は、前記比較値（ＥＶｎ）から前記基準値（ＥＶ０）を引いた値の最大値（ΔＥＶｍａｘ）が第１閾値（ＥＶｔｈ１）より小さく、前記比較値（ＥＶｎ）から前記基準値（ＥＶ０）を引いた値の最小値（ΔＥＶｍｉｎ）が、前記第１閾値（ＥＶｔｈ１）より小さい第２閾値（ＥＶｔｈ２）より小さい場合に、前記基準値（ＥＶ０）に負の補正値（ＥＶａｄｊ）を加え、補正後の値（ＥＶｃｏｒ）に基づいて前記選択測距エリア表示（２００ａ）の表示輝度を制御することを特徴とする表示装置（１）である。
請求項７に記載の発明は、請求項５又は６に記載の表示装置（１）であって、前記補正値（ＥＶａｄｊ）は、前記比較値（ＥＶｎ）から前記基準値（ＥＶ０）を引いた値の絶対値が大きくなると増加することを特徴とする表示装置（１）である。
請求項８に記載の発明は、請求項７に記載の表示装置（１）であって、前記補正値（ＥＶａｄｊ）の絶対値には上限が設けられていることを特徴とする表示装置（１）である。
請求項９に記載の表示装置（１）は、請求項８に記載の表示装置（１）であって、
前記測距エリア表示手段（７２，１１１）が、複数の測距エリア表示（２００）のうちから、前記選択測距エリア表示（２００ａ）の部分に光を透過させることにより前記選択測距エリア表示（２００ａ）を前記ファインダー（５７）視野（５７ａ）内に表示するシャッター機能を有し、前記上限値のうちの正の上限値が、前記光の漏洩光により前記複数の測距エリア表示（２００）における前記選択測距エリア表示（２００ａ）以外の測距エリア表示（２００）が、前記視野（５７ａ）内に表示されることを軽減するように定められていることを特徴とする表示装置（１）である。
請求項１０に記載の発明は、請求項１〜９のいずれか１項に記載の表示装置（１）を備えるカメラ（１００）である。
なお、符号を付して説明した構成は、適宜改良してもよく、また、少なくとも一部を他の構成物に代替してもよい。
【発明の効果】
【０００７】
本発明によれば、ファインダー内における測距エリア表示を見やすくすることができる。
【発明を実施するための最良の形態】
【０００８】
以下、図面等を参照して、本発明の実施形態について説明する。図１は本発明の実施形態の表示装置１を含むカメラ１００の概略図である。なお、図１においては、説明と理解を容易にするために、ｘｙｚ直交座標系を設けた。この座標系では、撮影者が光軸Ｌを水平として横長の画像を撮影する場合のカメラ１００の位置（以下、通常の撮影位置という）において撮影者から見て左側に向かう方向をｘプラス方向とする。また、通常の撮影位置において上側に向かう方向をｙプラス方向とする。さらに、通常の撮影位置において被写体に向かう方向をｚプラス方向とする。
【０００９】
カメラ１００は、レンズ交換式のデジタルカメラであり、光軸Ｌに沿って、撮影レンズ１０、ミラー部２０、撮像部３０を備える。さらに、撮影レンズ１０に入射した光のうちの、ミラー部２０によって図中下方に向けられた光が入射する焦点検出部４０と、ミラー部２０によって図中上方に向けられた光が入射するファインダー部５０と、を備える。
【００１０】
撮影レンズ１０は、カメラ本体１００ａに対して交換可能なレンズであり、絞り１１を備える。ミラー部２０は、撮影レンズ１０の射出側に配置され、メインミラー２１及びサブミラー２２を備える。メインミラー２１は、撮影レンズ１０を通過した光をファインダー部５０に向けて反射する。メインミラー２１は、その一部がハーフミラーとなっており、光の一部を透過させる。また、メインミラー２１は、撮影時にレリーズボタン（図示せず）が押されると、反射面が光軸Ｌに対して略平行となるミラーアップ位置に退避する。サブミラー２２は、メインミラー２１のハーフミラー部分を透過した光の進路を屈曲させて焦点検出部４０に反射させる。
【００１１】
撮像部３０は、シャッター３１、ＬＰＦ（Ｌｏｗ−Ｐａｓｓ  Ｆｉｌｔｅｒ）３２及び撮像素子３３を備える。シャッター３１は、後述するＭＣＵ１０１からの信号によりシャッタースピードが制御される。撮像素子３３は、撮影レンズ１０が結像した像を電気信号に変換する、ＣＣＤやＣＭＯＳ等である。また、撮像素子３３の後部には基板３４が配置され、基板３４には、カメラ１００の全体制御を行うＭＣＵ１０１及び後述する各種回路が配置されている。さらに、カメラ１００本体の撮影者側背面には、背面液晶モニタ３５が配置されている。
【００１２】
焦点検出部４０には、焦点検出用センサー４１が配置され、メインミラー２１から分岐された光は、サブミラー２２によって反射されて焦点検出用センサー４１に入射される。焦点検出用センサー４１の前方にはモータ及び連結ギア、カップリングで構成されるレンズ駆動装置４２が配置されている。
【００１３】
ファインダー部５０は、フォーカシングスクリーン５１、拡散型液晶５２、ペンタプリズム５３、第１ダイクロイックプリズム５４、第２ダイクロイックプリズム５５及び接眼レンズ５６を備える。
【００１４】
撮影レンズ１０を通過した被写体光は、メインミラー２１によって図１のｙプラス方向に反射され、フォーカシングスクリーン５１上に一旦結像される。フォーカシングスクリーン５１上で結像された被写体光は、高速撮影時のクロップを行うための拡散型液晶５２を透過し、ペンタプリズム５３、及びペンタプリズム５３に接着された第１ダイクロイックプリズム５４及び該第１ダイクロイックプリズム５４に接着された第２ダイクロイックプリズム５５を通り、さらに複数のレンズより構成される接眼レンズ５６を経てファインダー５７に導かれる。
【００１５】
第１ダイクロイックプリズム５４の射出面上部には被写体光輝度を測定するための公知のプリズム６０、測光レンズ６１、及び測光センサー６２が配置されており、測光センサー６２はフレキシブルプリント基板（図示せず）によりカメラ本体１００ａにおける基板３４に設けられた測光回路１１２に接続されている。測光センサー６２は、撮影画面を、分割されたブロックごとに測光可能となっている。
【００１６】
第１ダイクロイックプリズム５４の上部（ｙプラス側）には投影レンズ７０、方向を変えるための折り返しミラー７１、後述する測距エリア表示２００が形成された透過型液晶７２、照明レンズ７３、及び透過型液晶７２の光源であるＬＥＤ７４が配置されている。透過型液晶７２は電気シャッターの機能も有しており、後述する５１個の測距エリア表示２００の中から、選択された選択測距エリア表示２００ａのみ、ＬＥＤ７４からの光を透過させ、その光は投影レンズ７０で拡大され、第１ダイクロイックプリズム５４に入射する。
【００１７】
ペンタプリズム５３の下部には、ファインダー内表示液晶８０及びファインダーバックライト８１が配置されている。ファインダー内表示液晶８０はファインダー５７内における後述するファインダー視野５７ａの下部に、撮影に関する露出制御値、露出モード、露出補正値等のさまざまな情報を表示する。ファインダーバックライト８１は、ファインダー内表示液晶８０を照明するためのものである。
【００１８】
図２は本発明のカメラ１００のシステム構成を示すブロック図である。ＭＣＵ１０１は、カメラ１００の全体的な制御を行うものであり、以下に述べる各種制御回路が接続されている。
【００１９】
Ａ／Ｄ変換回路１０３は、撮影レンズ１０より入射して撮像素子３３から出力された電気信号をＡ／Ｄ変換する。タイミング回路１０４は、撮像素子３３及びＡ／Ｄ変換回路１０３を所定の動作タイミングで駆動する。画像処理制御回路１０５は、Ａ／Ｄ変換回路１０３から出力された画像データに対して各種画像補正及び各色の画像データに対して補間処理を行う。ＳＤＲＡＭ１０６は、この補間処理されたデータを一時的に記憶するメモリである。画像用記録媒体１０７は、インターフェース（図示せず）を介して画像処理制御回路１０５に接続されており、撮影データと画像データとを記録する。背面液晶モニタ制御回路１０８は、背面液晶モニタ３５を制御する。
【００２０】
クロップ表示回路１０９は、拡散型液晶５２を制御する回路である。露出制御回路１１３は、後述する測光回路１１２から得られた被写体の輝度及び撮像感度からシャッタースピードと撮影レンズ１０の絞り値を演算してシャッター制御部１１４と絞り制御部１１５を制御する。シャッター制御部１１４は、シャッター３１を制御し、また絞り制御部１１５は撮影レンズ１０の絞り１１を制御する。レンズ情報入力部１１６は、装着された撮影レンズ１０から開放絞り値、焦点距離、射出瞳等の情報をカメラ本体１００ａへ通信する。
【００２１】
焦点検出回路１１７は、図１のカメラ１００底部にあるオートフォーカスのための焦点検出用センサー４１から得られた出力をＡ／Ｄ変換してＭＣＵ１０１に出力する。レンズ駆動回路１１８は、レンズ情報入力部１１６と焦点検出回路１１７により得られえた制御結果を基に撮影レンズ１０を駆動してオートフォーカスさせるための回路である。モード設定回路１１９は、露出、オートフォーカス、画像等のさまざまなモードを設定する。設定操作部材１２０は、カメラ１００に対する設定操作を行うスイッチであり、設定操作に応じた操作信号をＭＣＵ１０１へ出力する。ＳＷ１は、レリーズボタンの第１ストロークに連動する半押しスイッチであり、ＳＷ２は、レリーズボタンの第２ストロークに連動する全押しスイッチである。
【００２２】
図３はファインダー５７内の画像を示した図である。図示するように、ファインダー５７内には、被写体像を写すファインダー視野５７ａとその外周部に設けられた撮影に関する露出制御値、露出モード、露出補正値等のさまざまな情報を表示するためのファインダー内表示部５７ｂとが設けられている。図２のファインダー内表示制御回路１１０は、ファインダー内表示部５７ｂにこれらの情報を表示するファインダー内表示液晶８０とファインダーバックライト８１を制御する回路である。
【００２３】
また、本実施形態でカメラ１００は、５１個の測距エリアを有している。図４はファインダー視野５７ａ内に５１個の全測距エリア表示２００を示した図である。なお、図４においては、５１個の測距エリア表示２００を全て示すが、ファインダー視野５７ａ内において実際に全ての測距エリア表示２００が点灯することはなく、選択された測距エリアを表示する選択測距エリア表示２００ａのみが図３に示すように点灯する。なお、この選択測距エリア表示２００ａは、レリーズボタン（図示せず）を押したときに一瞬点灯するのではなく、一旦選択されると、変更されるまでその位置で点灯し続ける。
【００２４】
図２に戻り、スーパーインポーズ表示制御回路１１１は、選択測距エリア表示２００ａをファインダー視野５７ａにおいて被写体像と重ねて（スーパーインポーズ）表示する際の制御を行う回路である。スーパーインポーズ表示制御回路１１１は、ファインダー視野５７ａ内に選択測距エリア表示２００ａを表示する透過型液晶７２と、選択測距エリア表示２００ａの表示輝度を変更可能なＬＥＤ７４を制御する。測光回路１１２は測光センサー６２から得られた出力をＡ／Ｄ変換してＭＣＵ１０１に出力する回路であり、撮影画面における分割された領域のそれぞれの輝度を測光可能となっている。なお、本実施形態における表示装置１は、カメラ１００内のスーパーインポーズ表示制御回路１１１、透過型液晶７２、ＬＥＤ７４及び測光回路１１２を含むものである。
【００２５】
次に、本実施形態の表示装置１の動作を説明する上での、基本的設定について説明する。図５は、ファインダー視野５７ａ内に表示される５１個の測距エリア表示２００に（１）〜（５１）の番号を付した図である。この番号は、説明の便宜上付したもので、実際にファインダー視野５７ａ内において測距エリア表示２００に番号が付されているわけではない。この５１個の測距エリア表示２００を１１のグループに分ける。どのようにグループ分けを行ったかを下の表１に示す。
【００２６】
【表１】
2009037031.tif 000003
【００２７】
表１に示すように、例えば図５における測距エリア表示２００うちの（１）〜（３）の測距エリア表示２００は第１グループである。測距エリア表示２００（４）〜（９）は第２グループである。第３グループから第１０グループは表に示す通りであり、その説明を省略する。測距エリア表示２００（４９）〜（５１）は第１１グループである。
【００２８】
図５に示すように撮影画面は縦１５、横２２の合計３３０個の測光領域に分割されている。なお、これらの３３０個の測光領域は、各々が４つの画素によって構成されている。これらの測光領域を上述の１１のグループに分けられたそれぞれの測距エリア表示２００を含む領域にブロック分けする。図６は、測距エリア表示におけるブロック分けを示した図である。図示するように、例えば第１グループの測距エリア表示２００の（１）〜（３）を含む測光領域の第１測光ブロックは、図６（ａ）における［１］で示した部分である。第２グループの測距エリア表示２００の（４）〜（９）を含む測光領域の第２測光ブロックは、図６（ｃ）において［２］で示した部分である。第３測光ブロック〜第１０測光ブロックは、図に示す通りであり、その説明を省略する。第１１グループの測距エリア表示２００の（４９）〜（５１）を含む測光領域の第１１ブロックは、図６（ａ）において［１１］で示した部分である。なお、これらの測光領域のブロックは、各グループにおける測距エリア表示２００及びその周囲の測光領域を含むように範囲を定めているため、隣接するブロックとオーバーラップしている。
【００２９】
ここで、例えば、図６（ａ）に示す第１グループの測光ブロック［１］に隣接する測光ブロックは、図６（ｃ）の測光ブロック［２］及び測光ブロック［４］である。また、図６（ｃ）に示す第２グループの測光ブロック［２］に隣接する測光ブロックは図６（ａ）の測光ブロック［１］、図６（ｃ）の測光ブロック［４］及び図６（ｂ）の測光ブロック［５］である。なお、上記の表１に、各測光ブロックに対する隣接ブロックの番号を記載する。
【００３０】
次に、本実施形態の表示装置１における選択測距エリア表示２００ａの表示輝度の制御方法について説明する。図７及び図８は選択測距エリア表示２００ａの表示輝度を制御方法を示したフローチャートである。
【００３１】
まず、選択測距エリア表示２００ａが含まれるグループの測光ブロックにおける測光領域の輝度ＢＶの平均値より測光ブロックの平均露出値ＥＶを求めて基準値ＥＶ０とする（ステップ１、以下ステップをＳで表す）。例えば選択された測距エリアが（１）〜（３）のいずれかの場合、測光ブロックは［１］であり、測光ブロック［１］に含まれる測光領域の輝度ＢＶの平均値より、平均露出値ＥＶを求め、露出値ＥＶ０とする。
【００３２】
次に、選択測距エリア表示２００ａが含まれる測光ブロックの第１番目の隣接ブロックを測光して比較値ＥＶｎを求める。例えば、測光ブロックが［１］の場合、まず第１番目（ｎ＝１）の隣接ブロックとして測光ブロック［２］の平均ＢＶ値を求め、そこからＥＶ１を求める（Ｓ２，Ｓ３）。
【００３３】
ΔＥＶ１＝ＥＶ１−ＥＶ０より基準値ＥＶ０と比較値ＥＶ１との差ΔＥＶ１を求める（Ｓ４）。
ここで、ｎ＝１であるので（Ｓ４，Ｙｅｓ）、ΔＥＶｍａｘ＝ΔＥＶｍｉｎ＝ΔＥＶ１とする（Ｓ６）。
次にｎ＝ｎ＋１として（Ｓ７）、Ｓ３に戻る（Ｓ８）。
【００３４】
第２番の隣接ブロックの測光値を求める。例えば、上述したように測光ブロックが［１］の場合、第２番目（ｎ＝２）の隣接ブロックは測光ブロック［４］となる。この測光ブロック［４］の平均ＢＶ値を求め、そこから比較値ＥＶ２を求める（Ｓ２，Ｓ３）。
【００３５】
ΔＥＶ２＝ＥＶ２−ＥＶ０より基準値ＥＶ０と比較値ＥＶ２との差ΔＥＶ２を求める（Ｓ４）。
ここで、ｎ＝２でありｎ＝１ではないので（Ｓ５，Ｎｏ）、Ｓ９に進む。
ΔＥＶ２＞ΔＥＶｍａｘ（＝ΔＥＶ１）の場合（Ｓ９，Ｙｅｓ）、最大値を更新し、ΔＥＶｍａｘ＝ΔＥＶ２とする（Ｓ１０）。
ΔＥＶ２＞ΔＥＶｍａｘ（ΔＥＶ１）でない場合（Ｓ９，Ｎｏ）、ΔＥＶｍａｘ＝ΔＥＶ１のままＳ１１に進む。
【００３６】
ΔＥＶ２＜ΔＥＶｍｉｎ（＝ΔＥＶ１）の場合（Ｓ１１，Ｙｅｓ）、最小値を更新し、ΔＥＶ２＝ΔＥＶｍｉｎとする（Ｓ１２）。
ΔＥＶ２＜ΔＥＶｍｉｎ（＝ΔＥＶ１）でない場合は、ΔＥＶｍｉｎ＝ΔＥＶ１のままＳ７に進む（Ｓ１１，Ｎｏ）。
【００３７】
測光ブロック［１］の場合、隣接ブロックの数は２つであるが、例えば測光ブロック［３］の場合に４であるように、隣接ブロックが２以上の場合は、さらにｎ＝ｎ＋１として（Ｓ７）、Ｓ２からＳ８を隣接ブロックの数だけ繰り返す。
【００３８】
そして、全ての隣接ブロックについて図７の処理を行った結果得られた、最終的なΔＥＶｍａｘを正の第１閾値ΔＥＶｔｈ１と比較し、最終的なΔＥＶｍｉｎを負の第２閾値ΔＥＶｔｈ２と比較する（図８，Ｓ１３）。
【００３９】
図９はΔＥＶｍａｘ、ΔＥＶｍｉｎ、ΔＥＶｔｈ、ΔＥＶｔｈ２の関係を場合分けした図である。図９（ａ）に示すように、ΔＥＶｍａｘ≧ΔＥＶｔｈで、ΔＥＶｍｉｎ＞ΔＥＶｔｈ２の場合、選択測距エリア表示２００ａが含まれる測光ブロックの隣接ブロックは、選択測距エリア表示２００ａが含まれる測光ブロックより全体的に明るい。この場合、基準値ＥＶ０から選択測距エリア表示２００ａを求めると隣接ブロックの影響で選択測距エリア表示２００ａが暗いように感じる。このため、選択測距エリア表示２００ａを基準値ＥＶ０に対して正の補正値ΔＥＶａｄｊを加えてプラス方向に補正し（Ｓ１４）、その値ＥＶｃｏｒを基に選択測距エリア表示２００ａの輝度を決定する。
【００４０】
図９（ｂ）に示すように、ΔＥＶｍａｘ＜ΔＥＶｔｈ１、ΔＥＶｍｉｎ≦ΔＥＶｔｈ２の場合、選択測距エリア表示２００ａが含まれる測光ブロックの隣接ブロックは、選択測距エリア表示２００ａが含まれる測光ブロックより全体的に暗い。この場合、基準値ＥＶ０から選択測距エリア表示２００ａを求めると、隣接ブロックの影響で選択測距エリア表示２００ａが明るいように感じる。このため、選択測距エリア表示２００ａを基準値ＥＶ０に対して負の補正値ΔＥＶａｄｊを加えてマイナス方向に補正し（Ｓ１５）、その値ＥＶｃｏｒを基に選択測距エリア表示２００ａの輝度を決定する。
【００４１】
なお、上記図９（ａ）の場合のプラス方向の補正値ΔＥＶａｄｊは、ΔＥＶｍａｘの値により異なり、ΔＥＶｍａｘが大きいほど補正値ΔＥＶａｄｊも大きい。それは、ΔＥＶｍａｘが大きいほど、隣接ブロックの被写体像は明るいため、補正値ΔＥＶａｄｊを大きくしないと選択測距エリア表示２００ａの見にくさが十分に軽減されないからである。また、図９（ｂ）の場合のマイナス方向の補正値ΔＥＶａｄｊは、ΔＥＶｍｉｎの値により異なり、ΔＥＶｍｉｎが小さいほど（絶対値が大きい負の値）補正値ΔＥＶａｄｊも小さい（絶対値が大きい負の値）。それは、ΔＥＶｍｉｎが小さいほど、隣接ブロックの被写体像は暗いため、補正値ΔＥＶａｄｊを小さくしないと、周囲と比べて選択測距エリア表示２００ａが明るすぎることによる見ずらさが十分に軽減されないからである。
【００４２】
図９（ｃ）に示すように、ΔＥＶｍａｘ≧ΔＥＶｔｈ１で、ΔＥＶｍｉｎ≦がΔＥＶｔｈ２の場合、選択測距エリア表示２００ａが含まれる測光ブロックの隣接ブロックには、明るい部分と暗い部分とが存在することになる。この場合、プラス側とマイナス側とのいずれ側に補正しても見にくくなる。このため、補正は行わない。また、ｄ）ΔＥＶｍａｘ＜ΔＥＶｔｈ１、ΔＥＶｍｉｎ＞ΔＥＶｔｈ２の場合、隣接ブロックの明るさの影響が少ないため、補正はそれほど必要ではないため、行わない（Ｓ１６）。
【００４３】
以上、本実施形態によると、以下の効果を有する。
（１）選択測距エリア表示２００ａの表示の明るさを、その選択測距エリア表示２００ａを含む領域の輝度のみに基づいて決定しても、選択測距エリア表示２００ａを含む領域以外の他領域に、例えば高輝度物体が存在したり、黒色の低反射率の物体が存在したりする場合、選択測距エリア表示２００ａの表示はそれらの物体の影響により明るく感じたり暗く感じたりする。本実施形態の表示装置１によると、隣接領域の輝度を考慮して選択測距エリア表示２００ａの輝度を決定するため、選択測距エリア表示２００ａが含まれる領域以外の他領域が低輝度又は高輝度の場合におけるファインダー視野５７ａ内における選択測距エリア表示２００ａの見にくさが軽減される。
【００４４】
（２）比較値ＥＶｎから基準値ＥＶ０を引いた値の最大値ΔＥＶｍａｘが第１閾値ＥＶｔｈ１より大きく、比較値ＥＶｎから基準値ＥＶ０を引いた値の最小値ΔＥＶｍｉｎが、第１閾値ＥＶｔｈ１より小さい第２閾値ＥＶｔｈ２より大きい場合に、基準値ＥＶ０に正の補正値ＥＶａｄｊを加え、補正後の値ＥＶｃｏｒに基づいて選択測距エリア表示２００ａの表示輝度を決定する。したがって周囲が明るい場合に測距エリア表示の輝度が明るくなるため、周囲が明るい場合にも見やすい。
【００４５】
（３）輝度制御手段７４，１１１は、比較値ＥＶｎから基準値ＥＶ０を引いた値の最大値ΔＥＶｍａｘが第１閾値ＥＶｔｈ１より小さく、比較値ＥＶｎから基準値ＥＶ０を引いた値の最小値ΔＥＶｍｉｎが、第１閾値ＥＶｔｈ１より小さい第２閾値ＥＶｔｈ２より小さい場合に、基準値ＥＶ０に負の補正値ＥＶａｄｊを加え、補正後の値ＥＶｃｏｒに基づいて選択測距エリア表示２００ａの表示輝度を決定する。したがって、周囲が暗い場合に測距エリア表示の輝度も暗くするため、周囲が暗い場合にも見やすい。
【００４６】
（４）補正値ＥＶａｄｊを、ΔＥＶｍａｘ及びΔＥＶｍｉｎの値により変更し、ΔＥＶｍａｘ及びΔＥＶｍｉｎの絶対値が大きいほど大きくするので、選択測距エリア表示２００ａの輝度をより適切な輝度に補正することができる。
【００４７】
（変形形態）
以上、説明した実施形態に限定されることなく、種々の変形や変更が可能であって、それらも本発明の範囲内である。
（１）本実施形態でプラス側の補正値はΔＥＶｍａｘの値により異なる。ΔＥＶｍａｘが小さい場合は補正値も小さく、またΔＥＶｍａｘが大きい場合は補正値も大きくなる。しかし、プラス側の補正値が大きくなりすぎると、測距エリア表示２００のうちの選択されていない測距エリア表示２００がファインダー視野５７ａ内に見えてしまう場合がある。したがって、補正値の最大値は、透過型液晶７２のシャッターとしての性能等を考慮し、測距エリア表示２００のうちの選択されていない測距エリア表示２００が過度に見えることを防止するように、限界値を設定してもよい。
【００４８】
（２）また、上述のように本実施形態でマイナス側の補正値もΔＥＶｍｉｎの値により異なる。ΔＥＶｍｉｎの絶対値が小さい場合は補正値も小さく、またΔＥＶｍｉｎの絶対値が大きい場合は補正値も大きくなる。しかし、マイナス側の補正値が大きくなりすぎると、周囲が暗い場合であっても測距エリア表示２００が暗くなりすぎて見にくくなることが考えられる。したがって補正量に下限値を設定してもよい。
【００４９】
（３）本実施形態では、撮影レンズ１０の焦点距離によって表示輝度の決定方法を変えていないが、望遠レンズでは広角レンズに比べて撮影画面内に輝度の変化が少ない。そこで、撮影レンズ１０の焦点距離を検出し、該焦点距離が所定値以上（望遠レンズ）であった場合又は、該焦点距離に応じて測光ブロックを本実施形態のように１１ブロックよりも少なくブロック分けしてもよい。この場合、表示輝度を決定する演算時間を短縮及び演算負荷を軽減することができる。
【００５０】
（４）本実施形態では、測光ブロックにおけるＢＶ値を測定し、このＢＶ値よりＥＶ値を求め、ＥＶ値を基に選択測距エリア表示２００ａの輝度を決定したが、これに限定されない。明るさを表すことができれば、ＢＶ値のまま処理を行うこともできる。
【００５１】
なお、実施形態及び変形形態は、適宜組み合わせて用いることもできるが、詳細な説明は省略する。また、本発明は以上説明した各実施形態によって限定されることはない。
【図面の簡単な説明】
【００５２】
【図１】本発明の第１実施形態の表示装置を含むカメラの概略図である。
【図２】本発明のカメラのシステム構成を示すブロック図である。
【図３】ファインダー内の画面を示した図である。
【図４】ファインダー視野内に全測距エリア表示を示した図である。
【図５】ファインダー視野内に表示される５１個の全測距エリア表示に（１）〜（５１）の番号を付した図である。
【図６】ファインー視野内におけるブロック分けを示した図である。
【図７】選択測距エリア表示の表示輝度の制御方法を示したフローチャートである。
【図８】図７から続く選択測距エリア表示の表示輝度の制御方法を示したフローチャートである。
【図９】ΔＥＶｍａｘ、ΔＥＶｍｉｎ、ΔＥＶｔｈ及びΔＥＶｔｈ２の関係を場合分けした図である。
【符号の説明】
【００５３】
５７：ファインダー、５７ａ：ファインダー視野、７２：透過型液晶、７４：ＬＥＤ、１００：カメラ、１１１：スーパーインポーズ表示制御回路、２００：測距エリア表示、２００ａ：選択測距エリア表示
【図１】
2009037031.tif 000004
【図２】
2009037031.tif 000005
【図３】
2009037031.tif 000006
【図４】
2009037031.tif 000007
【図５】
2009037031.tif 000008
【図６】
2009037031.tif 000009
【図７】
2009037031.tif 000010
【図８】
2009037031.tif 000011
【図９】
2009037031.tif 000012